(57)【特許請求の範囲】
【請求項１】
キー入力部と、前記キー入力部と並んで設けられた並設部とを有する本体装置と、
表示器を搭載し、前記本体装置から開かれた開状態と、前記本体装置側に閉じられて前記表示器が前記キー入力部及び前記並設部と重なる閉状態とに変更される表示装置と、
前記キー入力部及び前記並設部の裏側に配置されると共に、前記キー入力部と前記並設部との全面に渡って設けられ、奥行方向奥側端部側及び奥行方向手前側端部側に設けた係止突起により前記本体装置に固定された平板状の支持板と、
を備える折り畳み電子機器。
【請求項２】
前記支持板は、前記キー入力部を支持する第一支持部と、前記第一支持部の奥行方向手前側に設けられ、前記並設部の裏側から前記並設部を覆う第二支持部とを有する、
請求項１に記載の折り畳み電子機器。
【請求項３】
前記第二支持部は、前記第一支持部の横幅方向一端側から他端側に亘って形成されている、
請求項２に記載の折り畳み電子機器。
【請求項４】
前記表示装置が前記閉状態にある場合に、前記第二支持部における前記第一支持部と反対側の端部は、前記表示器の縦方向の上端部の近傍に位置する、
請求項２又は請求項３に記載の折り畳み電子機器。
【請求項５】
前記並設部の裏面には、前記第二支持部に当接する補強リブが設けられている、
請求項２〜請求項４のいずれか一項に記載の折り畳み電子機器。
【請求項６】
前記補強リブは、前記第一支持部及び前記第二支持部が並ぶ方向に沿って延びると共に、前記第一支持部から遠ざかるに従って剛性が増す形状で形成されている、
請求項５に記載の折り畳み電子機器。
【請求項７】
前記表示装置が前記閉状態にある場合に、前記支持板は、平面視で前記表示器の全体と重複する、
請求項１〜請求項６のいずれか一項に記載の折り畳み電子機器。
【請求項８】
前記支持板は、導電性を有する、
請求項１〜請求項７のいずれか一項に記載の折り畳み電子機器。
【請求項９】
本体装置に備えられるキーボードユニットであって、
複数のキートップと、
前記複数のキートップに並んで設けられた並設部と、
前記キートップ及び前記並設部の裏側に配置されると共に、前記キートップと前記並設部との全面に渡って設けられた平板状の支持板と、
を備え、
前記支持板は、前記複数のキートップを支持する第一支持部と、前記第一支持部の奥行方向手前側に設けられると共に、前記第一支持部の横幅方向一端側から他端側に亘って形成された第二支持部とを有し、奥行方向奥側端部側及び奥行方向手前側端部側に設けた係止突起により前記本体装置に固定される、
キーボードユニット。
【発明の詳細な説明】
【技術分野】
【０００１】
本願の開示する技術は、折り畳み電子機器及びキーボードユニットに関する。
【背景技術】
【０００２】
従来、複数のキートップを有する本体装置と、表示器を有する表示装置とを備える折り畳み電子機器がある（例えば、特許文献１〜３参照）。この折り畳み電子機器において、表示装置は、本体装置から開かれた開状態と、本体装置側に閉じられた閉状態とに変更される。
【０００３】
また、この種の折り畳み電子機器としては、例えば、本体装置に複数のキートップと並んでパームレスト部が設けられたノート型パーソナルコンピュータがある（例えば、特許文献４参照）。このノート型パーソナルコンピュータでは、表示装置が閉状態にある場合に、表示器が複数のキートップ及びパームレスト部と重なる。
【先行技術文献】
【特許文献】
【０００４】
【特許文献１】特開２００６−５３６７８号公報
【特許文献２】特開２００４−３８６２９号公報
【特許文献３】特開平８−２６３１７１号公報
【特許文献４】特開２００６−１０７３４１号公報
【発明の概要】
【発明が解決しようとする課題】
【０００５】
上記ノート型パーソナルコンピュータにおいて、閉状態にある表示装置の天板に圧力が加わると、表示器が撓んで複数のキートップ及びパームレスト部と接触し、表示器が複数のキートップ及びパームレスト部から反力を受ける。ここで、本体装置では、内部の支持構造の剛性の違いにより、複数のキートップが配置された部分と、パームレスト部が設けられた部分との境界部で剛性が局所的に変化する場合がある。
【０００６】
しかしながら、このように本体装置に剛性の局所的な変化が生じる状態では、閉状態にある表示装置の天板に圧力が加わった場合に、本体装置における剛性の局所的な変化により表示器に局所的な応力やひずみが発生し、表示器が破損する虞がある。
【０００７】
本願の開示する技術は、一つの側面として、閉状態にある表示装置の天板に圧力が加わった場合でも、表示器の破損を抑制できる折り畳み電子機器を提供することを目的とする。
【課題を解決するための手段】
【０００８】
上記目的を達成するために、本願の開示する技術に係る折り畳み電子機器は、キー入力部と、キー入力部と並んで設けられた並設部とを有する本体装置と、表示器を搭載し、本体装置から開かれた開状態と、本体装置側に閉じられて表示器がキー入力部及び並設部と重なる閉状態とに変更される表示装置と、キー入力部及び並設部の裏側に配置されると共に、キー入力部と並設部との全面に渡って設けられ、奥行方向奥側端部側及び奥行方向手前側端部側に設けた係止突起により本体装置に固定された平板状の支持板とを備える。
【発明の効果】
【０００９】
本願の開示する技術によれば、閉状態にある表示装置の天板に圧力が加わった場合でも、表示器の破損を抑制することができる。
【図面の簡単な説明】
【００１０】
【図１】ノート型パーソナルコンピュータの斜視図である。
【図２】キーボードユニットを表側から見た斜視図である。
【図３】キーボードユニットの分解斜視図である。
【図４】キーボードユニットを裏側から見た斜視図である。
【図５】キーボードユニットの要部拡大縦断面図である。
【図６】ノート型パーソナルコンピュータの縦断面図である。
【図７】図６のＡ部の拡大図である。
【図８】図６のＢ部の拡大図である。
【図９】図６のＣ部の拡大図である。
【図１０】本体装置のアッパーカバーの変形例を示す斜視図である。
【図１１】図１０のアッパーカバーを備えたノート型パーソナルコンピュータの要部拡大縦断面図である。
【発明を実施するための形態】
【００１１】
以下、本願の開示する技術の一実施形態を説明する。
【００１２】
図１に示される本実施形態のノート型パーソナルコンピュータ１０は、「折り畳み電子機器」の一例であり、本体装置１２と、表示装置１４とを備える。
【００１３】
なお、各図に示される矢印ＵＰ、矢印ＦＲ、矢印ＲＨは、ノート型パーソナルコンピュータ１０における高さ方向上側、奥行方向手前側、横幅方向右側をそれぞれ示している。
【００１４】
本体装置１２は、筐体１６と、キーボードユニット１８と、タッチパッド２０等を有する。筐体１６は、偏平直方体状に形成されており、この筐体１６の厚さ方向に分割されたアッパーカバー２２及びロアカバー２４を有する。アッパーカバー２２には、キーボードユニット１８及びタッチパッド２０等が組み付けられている。また、筐体１６の内部には、バッテリや制御基板等が収容されている。
【００１５】
キーボードユニット１８は、複数のキートップ２６を有している。キーボードユニット１８は、「入力ユニット」の一例であり、複数のキートップ２６は、「キー入力部」の一例である。複数のキートップ２６は、アッパーカバー２２の上面部における奥行方向中央側に配置されている。
【００１６】
また、アッパーカバー２２の上面部には、複数のキートップ２６と並んでパームレスト部２８が設けられている。このパームレスト部２８は、アッパーカバー２２の上面部における複数のキートップ２６とアッパーカバー２２の奥行方向手前側の側面部２２Ａとの間の部分（タッチパッド２０が設けられた部分）によって形成されている。このパームレスト部２８は、「並設部」の一例である。
【００１７】
表示装置１４は、平面視にて四角形の平板状に形成されている。この表示装置１４は、本体装置１２と平面視で略同じ外形形状及び大きさで形成されている。この表示装置１４には、例えば液晶表示器や有機ＥＬ（Electroluminescent）表示器などの表示器３０が搭載されている。表示器３０の裏側には、表示装置１４の天板３２が設けられている。
【００１８】
また、表示装置１４の縦方向の下端部１４Ａは、本体装置１２の奥行方向奥側の端部１２Ａにヒンジ機構等を介して回動可能に固定されている。そして、表示装置１４は、本体装置１２から開かれた開状態と、本体装置１２側に閉じられた閉状態とに変更可能になっている。図１では、表示装置１４が開状態となっている。表示装置１４が開状態にあるときには、表示器３０が本体装置１２の奥行方向手前側を向いた状態となる。
【００１９】
一方、表示装置１４が本体装置１２側に閉じられて本体装置１２の上に重ね合わされた状態が表示装置１４の閉状態であり、この表示装置１４の閉状態は、図６に示されている。表示装置１４が閉状態にあるときには、表示器３０が複数のキートップ２６及びパームレスト部２８と重なる。表示装置１４の閉状態において、表示器３０と、複数のキートップ２６及びパームレスト部２８との間には、隙間が確保される。
【００２０】
図３に示されるように、キーボードユニット１８は、上述の複数のキートップ２６に加えて、キーボードフレーム３４と、フレキシブルプリント基板３６と、支持板３８とを有する（図２も適宜参照）。キーボードフレーム３４は、複数のキートップ２６と対応する位置に穴４０をそれぞれ有する格子状に形成されている。複数のキートップ２６は、キーボードフレーム３４に形成された複数の穴４０のそれぞれに収容される。
【００２１】
支持板３８は、平板状に形成されており、キーボードフレーム３４の裏側に配置されている。この支持板３８は、例えば、アルミニウムなどの電磁シールド性を有する金属により形成される。この支持板３８は、例えば、板金により製造される。フレキシブルプリント基板３６は、キーボードフレーム３４と支持板３８との間に配置されており、支持板３８の上に固定される。
【００２２】
図５に示されるように、各キートップ２６は、バネ４２を介してフレキシブルプリント基板３６上に支持されている。フレキシブルプリント基板３６には、各キートップ２６の直下に位置するスイッチ４４が実装されており、使用者によってキートップ２６が押下されてスイッチ４４がキートップ２６により押されると、スイッチ４４がオンとなる。
【００２３】
図２，図４に示されるように、支持板３８は、キーボードフレーム３４と略同じ横幅で形成されているが、キーボードフレーム３４よりも奥行方向に大きく形成されている。つまり、支持板３８の奥行方向手前側の端部３８Ａは、キーボードフレーム３４よりも奥行方向手前側に延長されている。
【００２４】
そして、このように支持板３８における奥行方向手前側の端部３８Ａが延長されることにより、支持板３８は、複数のキートップ２６と、パームレスト部２８とに跨って設けられている。
【００２５】
この支持板３８は、より具体的には、複数のキートップ２６（図２参照）の裏側に配置されて複数のキートップ２６を支持する第一支持部４６と、第一支持部４６の奥行方向手前側に設けられた第二支持部４８とを有している。第二支持部４８は、第一支持部４６の横幅方向一端側から他端側に亘って形成されている。
【００２６】
この支持板３８を含むキーボードユニット１８は、次のような構造によりアッパーカバー２２に固定されている。すなわち、支持板３８における奥行方向手前側の端部３８Ａ及び奥側の端部３８Ｂには、複数の係止突起５０がそれぞれ形成されている。各端部３８Ａ，３８Ｂにおいて、複数の係止突起５０は、支持板３８の横幅方向に間隔を空けて形成されている。
【００２７】
一方、図７，図８に示されるように、アッパーカバー２２の裏面には、一対の固定部５２が形成されている。一対の固定部５２は、支持板３８における奥行方向両側の端部３８Ａ，３８Ｂとそれぞれ対応する位置に形成されている。各固定部５２は、断面Ｌ字状に形成されている。
【００２８】
そして、一対の固定部５２に形成された水平部５４には、支持板３８における奥行方向両側の端部３８Ａ，３８Ｂがそれぞれ載置されている。また、支持板３８における奥行方向両側の端部３８Ａ，３８Ｂに形成された係止突起５０は、一対の固定部５２の垂直部５６に形成された係止穴５８に係止されている。このようにして、キーボードユニット１８は、アッパーカバー２２に固定されている。
【００２９】
また、図６に示されるように、アッパーカバー２２の上面部における複数のキートップ２６と対応する位置には、平面視にて四角形状の開口６０が形成されている。そして、複数のキートップ２６は、開口６０を通じて本体装置１２の上方に露出されている。
【００３０】
さらに、キーボードユニット１８がアッパーカバー２２に固定された状態において、支持板３８に形成された第二支持部４８は、パームレスト部２８の裏側に配置されている。この第二支持部４８は、第一支持部４６からパームレスト部２８の奥行方向手前側の端部２８Ａ側（パームレスト部２８における複数のキートップ２６と反対側の端部側）にまで延びている。
【００３１】
なお、第二支持部４８は、第一支持部４６からパームレスト部２８の奥行方向手前側の端部２８Ａ側にまで延びていれば、第二支持部４８における第一支持部４６と反対側の端部４８Ａは、端部２８Ａに達していても達していなくてもどちらでも良い。この第二支持部４８は、パームレスト部２８の裏側からパームレスト部２８を覆っている。この第二支持部４８とパームレスト部２８との間には、隙間が確保されている。
【００３２】
また、図６に示されるように、表示装置１４が閉状態にある場合に、第二支持部４８における第一支持部４６と反対側の端部４８Ａは、表示器３０の縦方向の上端部３０Ａの近傍に位置する。第二支持部４８における第一支持部４６と反対側の端部４８Ａは、表示器３０の縦方向の上端部３０Ａの近傍に位置していれば、上端部３０Ａから突出していても突出していなくてもどちらでも良い。
【００３３】
この支持板３８は、表示装置１４が閉状態にある場合に、平面視で表示器３０の全体と重複する。支持板３８が平面視で表示器３０の全体と重複するように、支持板３８は、好ましくは、平面視で表示器３０と同じ大きさか、又は、平面視で表示器３０よりも大きく形成されるが、平面視で表示器３０よりも小さく形成されても良い。
【００３４】
次に、本実施形態の作用及び効果について説明する。
【００３５】
以上詳述したように、本実施形態に係るノート型パーソナルコンピュータ１０によれば、キーボードユニット１８の支持板３８は、複数のキートップ２６及びパームレスト部２８の裏側に配置されている。この支持板３８は、複数のキートップ２６とパームレスト部２８とに跨って設けられている。したがって、この支持板３８により、複数のキートップ２６が配置された部分と、パームレスト部２８が設けられた部分との境界部における剛性の局所的な変化を抑制することができる。
【００３６】
これにより、閉状態にある表示装置１４の天板３２に圧力が加わって表示器３０が撓み、表示器３０が複数のキートップ２６及びパームレスト部２８と接触して反力を受けた場合でも、表示器３０に局所的な応力やひずみが発生することを抑制できる。この結果、表示器３０の破損（特に図９に示される複数のキートップ２６とパームレスト部２８の境界部６２での破損）を抑制することができる。
【００３７】
また、支持板３８は、複数のキートップ２６を支持する第一支持部４６と、第一支持部４６の奥行方向手前側に設けられ、パームレスト部２８の裏側からパームレスト部２８を覆う第二支持部４８とを有する。したがって、この第一支持部４６及び第二支持部４８により、複数のキートップ２６が配置された部分と、パームレスト部２８が設けられた部分との境界部における剛性の局所的な変化をより一層効果的に抑制することができる。
【００３８】
また、第二支持部４８は、第一支持部４６の横幅方向一端側から他端側に亘って形成されている。したがって、複数のキートップ２６が配置された部分と、パームレスト部２８が設けられた部分との境界部における剛性変化を、第一支持部４６の横幅方向一端側から他端側に亘って低減することができる。これにより、表示器３０の破損をより効果的に抑制することができる。
【００３９】
また、表示装置１４が閉状態にある場合に、第二支持部４８における第一支持部４６と反対側の端部４８Ａは、表示器３０の縦方向の上端部３０Ａの近傍に位置する。したがって、閉状態にある表示装置１４の天板３２に圧力が加わった場合でも、支持板３８によって表示器３０の縦方向の下端部から上端部までを支持することができるので、このことによっても、表示器３０の破損をより効果的に抑制することができる。
【００４０】
しかも、表示装置１４が閉状態にある場合に、支持板３８は、平面視で表示器３０の全体と重複するので、表示器３０の破損を全体的に抑制することができる。
【００４１】
また、本実施形態に係るノート型パーソナルコンピュータ１０によれば、本体装置１２側の支持板３８によって表示器３０の破損を抑制することができるので、例えば、表示装置１４に補強が施される場合に比して、表示装置１４を薄型化することができる。これにより、ノート型パーソナルコンピュータ１０全体の薄型化を図ることができる。
【００４２】
また、本体装置１２側の支持板３８に第二支持部４８を設けるというレイアウト上の工夫により表示器３０の破損を効率的に抑制することができる。さらに、第二支持部４８で補強構造を代替できるので、結果的に、本体装置１２の重量及び厚みの増加を抑制できるか、又は、本体装置１２の重量及び厚みを減らすことができる。
【００４３】
また、第二支持部４８は、キーボードユニット１８の支持板３８に形成されているので、部品点数の増加を抑制し、ひいては、コストアップを抑制することができる。
【００４４】
さらに、支持板３８は、金属製であるので、この支持板３８で本体装置１２の上面部を広く覆うことにより、本体装置１２の内部に設けられた基板６４等に対する電磁シールド性能を向上させることができる。
【００４５】
次に、本実施形態の変形例について説明する。
【００４６】
上記実施形態において、ノート型パーソナルコンピュータ１０は、「入力ユニット」の一例としてキーボードユニット１８を備えるが、例えば、タッチパッドのようなキートップ以外のキー入力部を有する入力ユニットを備えていても良い。
【００４７】
また、上記実施形態は、ノート型パーソナルコンピュータへの適用であるが、例えば、折り畳み式携帯端末や電子辞書など、ノート型パーソナルコンピュータ以外の折り畳み電子機器に適用されても良い。
【００４８】
また、上記実施形態において、本体装置１２には、「並設部」の一例としてパームレスト部２８が設けられているが、パームレスト以外の機能を有する並設部が設けられていても良い。また、このパームレスト以外の機能を有する並設部がキー入力部と並ぶ方向は、例えば本体装置１２の横幅方向でも良い。
【００４９】
また、上記実施形態において、表示装置１４は、本体装置１２に対して縦方向に開閉されるが、例えば本体装置１２に対して横方向に開閉されても良い。
【００５０】
また、表示装置１４は、本体装置１２の奥行方向奥側の端部１２Ａにヒンジ機構等を介して回動可能に固定されているが、キーボードユニット１８よりも奥行方向奥側であれば、本体装置１２のどの部分に固定されていても良い。
【００５１】
また、上記実施形態において、支持板３８は、好ましくは、平板状に形成されるが、例えば他の部材との干渉を回避するために段部等を有していても良い。
【００５２】
また、支持板３８が段部を有するなど平板状ではない場合、複数のキートップ２６が配置された部分と、パームレスト部２８が設けられた部分との間に剛性差が生じないように、局所的な剛性の変化を補償する形状（例えば穴等）が段部周辺部に設けられても良い。
【００５３】
また、上記実施形態において、支持板３８は、好ましくは、金属製とされるが、例えば樹脂など金属以外の硬質材で形成されても良い。
【００５４】
また、支持板３８は、例えば、導電性の樹脂や、樹脂に導電性めっきが施されたものなどで形成されることにより、導電性を有していても良い。
【００５５】
また、上記実施形態において、第二支持部４８は、パームレスト部２８との間に隙間を有するが、パームレスト部２８と接していても良い。
【００５６】
また、図１０に示されるように、パームレスト部２８の裏面には、本体装置１２の横幅方向及び奥行方向に延びて格子状を成す複数の補強リブ７０，７２がそれぞれ形成されていても良い。
【００５７】
この図１０に示される変形例において、本体装置１２の横幅方向に延びる補強リブ７０は、パームレスト部２８の横幅方向一端側から他端側に亘って形成されている。また、本体装置１２の奥行方向（第一支持部４６及び第二支持部４８が並ぶ方向）に延びる補強リブ７２は、パームレスト部２８の奥行方向奥側から手前側に亘って形成されている。
【００５８】
また、図１１に示されるように、補強リブ７２は、第一支持部４６から遠ざかるに従ってパームレスト部２８の裏面からの高さが増すように形成されている。そして、補強リブ７２における第一支持部４６と反対側の端部７２Ａは、第二支持部４８に当接している。
【００５９】
このように、パームレスト部２８の裏面に補強リブ７２が形成され、この補強リブ７２が第二支持部４８に当接されていると、パームレスト部２８の剛性、ひいては、アッパーカバー２２の剛性を高めることができる。
【００６０】
また、補強リブ７２は、第一支持部４６から遠ざかるに従ってパームレスト部２８の裏面からの高さが増すように形成されているので、複数のキートップ２６が配置された部分に対してパームレスト部２８の剛性が局所的に増加することを抑制することができる。これにより、表示器３０の破損を効率良く抑制することができる。
【００６１】
なお、図１１に示される変形例において、補強リブ７２は、第一支持部４６から遠ざかるに従って剛性が増す形状であれば、例えば、第一支持部４６から遠ざかるに従って横幅が増すなどの形状で形成されていても良い。
【００６２】
また、上記複数の変形例のうち組み合わせ可能な変形例は、適宜、組み合わされて実施されても良い。
【００６３】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００６４】
なお、上述の本願の開示する技術の一実施形態に関し、更に以下の付記を開示する。
【００６５】
（付記１）
キー入力部と、前記キー入力部と並んで設けられた並設部とを有する本体装置と、
表示器を搭載し、前記本体装置から開かれた開状態と、前記本体装置側に閉じられて前記表示器が前記キー入力部及び前記並設部と重なる閉状態とに変更される表示装置と、
前記キー入力部及び前記並設部の裏側に配置されると共に、前記キー入力部と前記並設部とに跨って設けられた支持板と、
を備える折り畳み電子機器。
（付記２）
前記支持板は、前記キー入力部を支持する第一支持部と、前記第一支持部の奥行方向手前側に設けられ、前記並設部の裏側から前記並設部を覆う第二支持部とを有する、
付記１に記載の折り畳み電子機器。
（付記３）
前記第二支持部は、前記第一支持部の横幅方向一端側から他端側に亘って形成されている、
付記２に記載の折り畳み電子機器。
（付記４）
前記表示装置が前記閉状態にある場合に、前記第二支持部における前記第一支持部と反対側の端部は、前記表示器の縦方向の上端部の近傍に位置する、
付記１〜付記３のいずれか一項に記載の折り畳み電子機器。
（付記５）
前記並設部の裏面には、前記第二支持部に当接する補強リブが設けられている、
付記１〜付記４のいずれか一項に記載の折り畳み電子機器。
（付記６）
前記補強リブは、前記第一支持部及び前記第二支持部が並ぶ方向に沿って延びると共に、前記第一支持部から遠ざかるに従って剛性が増す形状で形成されている、
付記５に記載の折り畳み電子機器。
（付記７）
前記表示装置が前記閉状態にある場合に、前記支持板は、平面視で前記表示器の全体と重複する、
付記１〜付記６のいずれか一項に記載の折り畳み電子機器。
（付記８）
前記支持板は、平板状である、
付記１〜付記７のいずれか一項に記載の折り畳み電子機器。
（付記９）
前記支持板は、導電性を有する、
付記１〜付記８のいずれか一項に記載の折り畳み電子機器。
（付記１０）
前記キー入力部及び前記支持板を有する入力ユニットを備える、
付記１〜付記９のいずれか一項に記載の折り畳み電子機器。
（付記１１）
前記入力ユニットは、キーボードユニットであり、
前記キー入力部は、複数のキートップである、
付記１０に記載の折り畳み電子機器。
（付記１２）
前記折り畳み電子機器は、ノート型パーソナルコンピュータであり、
前記並設部は、パームレスト部である、
付記１〜付記１１のいずれか一項に記載の折り畳み電子機器。
（付記１３）
複数のキートップと、
前記複数のキートップを支持する第一支持部と、前記第一支持部の奥行方向手前側に設けられると共に、前記第一支持部の横幅方向一端側から他端側に亘って形成された第二支持部とを有する支持板と、
を備えるキーボードユニット。
【符号の説明】
【００６６】
１０  ノート型パーソナルコンピュータ（折り畳み電子機器の一例）
１２  本体装置
１４  表示装置
１８  キーボードユニット（入力ユニットの一例）
２６  キートップ（キー入力部の一例）
２８  パームレスト部（並設部の一例）
２８Ａ  端部（キー入力部と反対側の端部の一例）
３０  表示器
３０Ａ  上端部
３２  天板
３４  キーボードフレーム
３６  フレキシブルプリント基板
３８  支持板
４６  第一支持部
４８  第二支持部
４８Ａ  先端部
７２  補強リブ
【図１】
0006680972.tif 000002
【図２】
0006680972.tif 000003
【図３】
0006680972.tif 000004
【図４】
0006680972.tif 000005
【図５】
0006680972.tif 000006
【図６】
0006680972.tif 000007
【図７】
0006680972.tif 000008
【図８】
0006680972.tif 000009
【図９】
0006680972.tif 000010
【図１０】
0006680972.tif 000011
【図１１】
0006680972.tif 000012